(57)【要約】【課題】打撃による衝撃を効率よく緩和し、痛みを著しく軽減することが可能な剣道用防具を提供する。【解決手段】フェルト１２ａが布１２ｂと布１２ｃとの間に挟みこまれた積層体の全面領域１４のうち、特定の領域１４ａ内のフェルト１２ａ間に高衝撃吸収材１５が内蔵され、当該積層体の全面領域１４に刺し子縫いが施された面布団１２を備える剣道用面防具１において、前記特定の領域１４ａが、前記全面領域１４のうち、打撃の頻度が高い領域であり、前記特定の領域１４ａのフェルトの厚みを他の領域に比して薄くし、高衝撃吸収材１５が挿入されることによって、全体として他の領域と同じ厚みを保つことを特徴とする剣道用面防具１を提供する。これにより、剣道の面打ち、左右面打ちの打撃による衝撃を効率よく緩和し、痛みを著しく軽減することが可能となる。剣道用小手防具２であっても同様である。【選択図】図１
2012020056.tif 000002
【特許請求の範囲】
【請求項１】
フェルトが布と布との間に挟みこまれた積層体の全面領域のうち、特定の領域内のフェルト間に高衝撃吸収材が内蔵され、当該積層体の全面領域に刺し子縫いが施された布団を備える剣道用防具において、
前記特定の領域が、前記全面領域のうち、打撃の頻度が高い領域であり、
前記特定の領域におけるフェルトは他の領域に比べて厚みは薄くされ、高衝撃吸収材を挿入することによって他の領域と同じ厚みを保ったことを特徴とする剣道用防具。
【請求項２】
前記特定の領域における刺し子縫い速度を、他の領域における刺し子縫い速度と比して低速にすることによって得られた
請求項１に記載の剣道用防具。
【請求項３】
前記特定の領域における刺し子縫い速度を、他の領域における刺し子縫い速度の４分の３から４分の１までの範囲にされた
請求項２に記載の剣道用防具。
【請求項４】
前記高衝撃吸収材は、ポリウレタン樹脂、シリコーンゲルのいずれかである
請求項１−３のいずれか一項に記載の剣道用防具。
【請求項５】
前記剣道用防具が、面防具であり、
前記特定の領域が、面布団の全面領域のうち、装着者の顔面を保護する面金の上半分の周縁から、装着者の後頭部の上方近傍に向かって延びた略半円形の領域である
請求項１−４のいずれか一項に記載の剣道用防具。
【請求項６】
前記剣道用防具が、小手防具であり、
前記特定の領域が、小手布団の全面領域のうち、装着者の前腕の上面中央部を覆う略長方形の領域である
請求項１−４のいずれか一項に記載の剣道用防具。
【発明の詳細な説明】
【技術分野】
【０００１】
本発明は、剣道用防具に関し、詳しくは、打撃による衝撃を効率よく緩和することが可能な剣道用防具に関する。
【背景技術】
【０００２】
従来、剣道において、竹刀、木刀等による打撃による衝撃から頭部や手腕を保護するために、ユーザは、剣道用防具（例えば、頭部には面防具、手腕には小手防具）を装着して、剣道の試合、練習等を行なっていた。
【０００３】
上述した剣道用防具（面防具、小手防具等）における頭部や手腕を覆う部分には、木綿布等の布（生地）が二枚以上重ねられた積層体の内部に、フェルトが挿入され刺し子縫いされた布団が使用されている。前記フェルトとは、天然繊維（植物繊維、動物繊維等）、化学繊維（再生繊維、半合成繊維、合成繊維等）等の繊維を集めて圧縮して作成されたシートである。当該フェルトを布と布との間に挟み込むことによって、当該フェルトが前記衝撃に対する緩衝材として機能し、竹刀等の打撃による衝撃を緩和、吸収、分散し、結果として、衝撃による痛みを和らげている。
【０００４】
しかしながら、上述した構成では、剣道の試合等において、打撃が強い面打ち等が複数回繰り出された場合、当該打撃に対する衝撃緩和機能、吸収機能、分散機能が充分でなく、当該衝撃から装着者を適切に保護することが出来ないという問題があった。
【０００５】
当該問題を解決するために、実開平１−１３０７７６号公報（特許文献１）では、布団の内部に衝撃吸収マットを挿入したことを特徴とする、剣道等の防具が開示されている。当該構成により、竹刀等の打ち込みによる衝撃力の一部分が衝撃吸収マットによって吸収され、残りの部分は衝撃吸収マットによって広く周囲に分散されるので、装着者が感じる衝撃を小さくでき、打たれた所が痺れたり、脳震盪を起こしたりするのを防止できるとしている。
【０００６】
又、実開平２−１３１４８０号公報（特許文献２）には、マスクを除く頭巾体の表裏布地の間に、高衝撃吸収性に富む粘弾性材とフェルト又は発泡体との組み合せ芯材を内蔵したことを特徴とする剣道用面防具が開示されている。当該構成により、竹刀、木刀で打撃されてもその衝撃を吸収緩和して人体の痛みを軽減する効果があるとしている。又、当該粘弾性材は順応性を有し衝撃吸収性に富むため、これを組み合せるフェルト又は発泡体は薄くでき、頭巾体は頭や肩口に順応しやすくなるとしている。
【先行技術文献】
【特許文献】
【０００７】
【特許文献１】実開平１−１３０７７６号公報
【特許文献２】実開平２−１３１４８０号公報
【発明の概要】
【発明が解決しようとする課題】
【０００８】
しかしながら、特許文献１及び２に記載の技術は、衝撃吸収マット、粘弾性材をフェルトとフェルトとの間に挟み込む構成（サンドイッチ構造）としているが、単に挟み込む構成とすると、当該衝撃吸収マットが挟み込まれたフェルトの領域（部分）が他の領域と比較すると盛り上がってしまう（嵩高くなってしまう）。当該盛り上がった構成とすると、美的外観を損なうばかりか、当該衝撃吸収マットと当該フェルトとの組み合わせによる衝撃緩和機能等を充分に期待することが出来ないという問題がある。
【０００９】
又、衝撃吸収マット等の高衝撃吸収材は、通常、市販されているフェルト、布等の価格と比較して非常に高い（数倍−数十倍）。そのため、単に、布団の全面領域に高衝撃吸収材を敷き詰める構成とすると、剣道用防具のコストが大きく上昇するという問題がある。
【００１０】
ところで、剣道用防具の布団は、剣道の技の種類に応じて打撃を受け易い領域（装着者にとって打撲傷、青あざ、ミミズ腫れ等の傷が生じやすい領域）と、打撃を殆ど受けない領域（傷が殆ど生じない領域）とに区分される。そのため、上述した高衝撃吸収材を、打撃を受け易い領域に内蔵しておけば、打撃による衝撃を効率的に緩和、吸収、分散することが可能となるとともに、上述したコスト面での問題を解決出来る可能性がある。
【００１１】
そこで、本発明は、上記問題を解決するためになされたものであり、剣道の技の打撃による衝撃を効率よく緩和し、痛みを著しく軽減することが可能な剣道用防具を提供することを目的とする。
【課題を解決するための手段】
【００１２】
上述した課題を解決し、目的を達成するために、本発明に係る剣道用防具は、フェルトが布と布との間に挟みこまれた積層体の全面領域のうち、特定の領域内のフェルト間に高衝撃吸収材が内蔵され、当該積層体の全面領域に刺し子縫いが施された布団を備える剣道用防具を前提とする。
【００１３】
当該剣道用防具において、前記特定の領域が、前記全面領域のうち、打撃の頻度が高い領域であり、前記特定の領域におけるフェルトの厚みを他の部分に比べて薄くし、当該薄くした分の厚みの高衝撃吸収材を入れたことを特徴とする。
【００１４】
当該構成により、打撃による衝撃から装着者を充分に保護することが可能となるとともに、前記衝撃を受け易い特定の領域にのみ高緩衝吸収材を内蔵するから、コストパフォーマンスに優れた剣道用防具を提供することが可能となる。又、特定の領域では、フェルトの厚みを薄くして、当該薄くなった分の高衝撃吸収材が刺し子縫いによって縫いつけられるので、高衝撃吸収材の内蔵による盛り上がり等が発生することなく、高衝撃吸収材とフェルトとの組み合わせによる衝撃緩和機能、衝撃吸収機能、衝撃分散機能が充分に発揮される。その結果、綺麗な仕上がりとなるとともに、竹刀等の打撃による装着者の打撲傷等を著しく低減することが可能となる。
【００１５】
又、前記フェルトと高衝撃吸収材の逢着は、前記特定の領域における刺し子縫い速度を、他の領域における刺し子縫い速度と比較して低速にすることによって実現できる。
【００１６】
当該構成により、前記特定領域と他の領域に布団の厚みに変化がなく商品としての違和感もなくなる。更に、高衝撃吸収材とフェルトとの組み合わせによる衝撃緩和機能、衝撃吸収機能、衝撃分散機能を充分に発揮させることが可能となる。
【００１７】
又、前記特定の領域における刺し子縫い速度を、他の領域における刺し子縫い速度の４分の３から４分の１までの範囲にされた構成を採用することが出来る。
【００１８】
当該構成により、特定の領域では、可能な限り生産性を低下させることなく、表面の綿布から、フェルト、高衝撃吸収材への力の伝達が円滑になり、生産面と品質面との両面で優れた剣道用防具を提供することが可能となる。
【００１９】
又、前記高衝撃吸収材が、ポリウレタン樹脂、シリコーンゲルのいずれかである構成を採用することが出来る。
【００２０】
当該構成により、衝撃緩和機能、衝撃吸収機能、衝撃分散機能の最も優れた材料を高衝撃吸収材として選択することにより、上述した衝撃に対する保護機能を更に強化することが可能となる。
【００２１】
又、前記剣道用防具が、面防具であり、前記特定の領域が、面布団の全面領域のうち、装着者の顔面を保護する面金の上半分の周縁から、装着者の後頭部の上方近傍に向かって延びた略半円形の領域である構成を採用することが出来る。
【００２２】
当該構成により、面打ち、左右面打ち等の打撃による衝撃に対して保護機能が特に優れた面防具を提供することが可能となる。
【００２３】
又、前記剣道用防具が、小手防具であり、前記特定の領域が、小手布団の全面領域のうち、装着者の前腕の上面中央部を覆う略長方形の領域である構成を採用することが出来る。
【００２４】
当該構成により、小手打ち等の打撃による衝撃に対して保護機能が特に優れた小手防具を提供することが可能となる。
【発明の効果】
【００２５】
本発明に係る剣道用防具によれば、打撃による衝撃を効率よく緩和し、痛みを著しく軽減することが可能となる。
【図面の簡単な説明】
【００２６】
【図１】本発明に係る剣道用面防具の斜視図である。
【図２】本発明に係る剣道用面防具の縦断面図である。
【図３】特定の領域における従来の布団の縦断面拡大図（図３（ａ））と、特定の領域における本発明の布団の縦断面拡大図（図３（ｂ））である。
【図４】本発明に係る剣道用小手防具の斜視図である。
【発明を実施するための形態】
【００２７】
以下、本発明の実施形態について、以下、適宜図面を参照しながら詳細に説明する。
【００２８】
＜本発明に係る剣道用面防具＞
図１は、本発明に係る剣道用面防具の斜視図であり、図２は、その縦断面図である。
【００２９】
本発明に係る剣道用面防具１は、装着時に装着者の顔面前面側に位置し、装着者の顔面を保護する面金１１と、当該面金１１の周縁に対応する位置に取り付けられ、装着者の頭頂部、頭側部及び肩部を覆って保護する面布団１２と、当該面金１１の下部に取り付けられ、喉を保護する突き垂れ１３とを備えている。
【００３０】
前記面布団１２は、フェルト１２ａが上面の木綿布１２ｂと下面の木綿布１２ｃとの間に挟みこまれた積層体である。又、当該面布団１２は、前記積層体の全面領域１４のうち、特定の領域１４ａ内のフェルト１２ａ間に高衝撃吸収材１５が内蔵され、当該部分のフェルトは他の部分より薄くされ、当該薄くなった分の厚みを高衝撃吸収材１５が補うようになっている。また、積層体の全面領域１４に刺し子縫いが施されている。ここで、刺し子縫いとは、一面に細かく刺し縫いする縫い方（縫目が数ｍｍ程度の縫い方）のことを言う。
【００３１】
前記特定の領域１４ａは、面打ち、左右面打ちによる竹刀の打撃の頻度が高い領域（他の領域１４ｂと比較して６割−９割の頻度で打撃を受ける領域）である。更に、前記特定の領域１４ａは、図１に示すように、面布団１２の全面領域１４のうち、面金１１の上半分の周縁１１ａから、装着者の後頭部の上方近傍１２ａに向かって延びた略半円形の領域である。
【００３２】
ここで、前記面金１１の上半分の周縁１１ａは、面金１１の物見１１ｂの右端部近傍１１ｃから、当該面金１１の上端部１１ｄを通って当該物見１１ｂの左端部近傍１１ｅまでの周縁であるように構成されると、前面から打ち出される面打ち、左右面打ちの打撃による衝撃から、装着者の頭頂部、上方頭側部、上方後頭部を確実に保護するため、好ましい。
【００３３】
更に、前記特定の領域１４ａにおける高衝撃吸収材１５は、当該特定の領域１４ａ以外の領域と同じく刺し子縫いによって、表面の綿布１２ｂ、１２ｃ、フェルト１２ａに縫い付けられている。また、前記のように、当該特定領域のフェルト１２ａは、他の部分より厚みを薄くし、当該薄くなった分の厚みを高衝撃吸収材１５が補うようになっている。
【００３４】
図３（ａ）は、特定の領域に、フェルト１２ａの厚みを調整しないで、特定の厚み（例えば３．５ｍｍ）の高衝撃吸収材１５を挿入した例であり、当該特定の部分が盛り上がった状態となっている。これに対して図３（ｂ）は、特定の領域のフェルト１２ａの厚みを薄くし、上記と同様の厚みの高衝撃吸収材１５を挿入した例である。当該特定の部分は、他の部分と同じ厚みに成形できることになる。
【００３５】
当該構成により、フェルト１２ａから高衝撃吸収材１５への力の伝達が円滑になり、衝撃緩和機能、衝撃吸収機能、衝撃分散機能が充分に発揮される。
【００３６】
高衝撃吸収材１５とフェルト１２ａとを刺し子縫いで縫い合わせる方法は、どのような方法でも構わないが、例えば、前記特定の領域１４ａにおける刺し子縫い速度を、他の領域１４ｂにおける刺し子縫い速度と比較して低速にする方法が挙げられる。
【００３７】
例えば、前記特定の領域１４ａにおける刺し子縫い速度が、他の領域１４ｂにおける刺し子縫い速度の４分の３から４分の１までの範囲にされると好ましく、他の領域１４ｂにおける刺し子縫い速度の２分の１であると、更に好ましい。
これによって、低速にすることによる生産性の低下はさほどでもなく良好な品質を維持することが可能となる。
【００３８】
又、高衝撃吸収材１５は、衝撃吸収力が大きく、圧力分散性能が高く、振動減衰性が高い材料が好ましく、例えば、ポリウレタン樹脂（商品名ソルボセイン、衝撃吸収率９４％以上のポリウレタン樹脂）やシリコーンゲル（商品名アルファゲル）が好ましく使用される。尚、衝撃吸収率は、鋼球（φ２５ｍｍ，６５ｇ）を、厚さ５ｍｍの高衝撃吸収材上に高さ１００ｍｍから自然落下させ、当該高衝撃吸収材を通じて伝わった振動を測定することにより求められる。当該衝撃吸収率は、例えば、市販の動歪み測定器、波動記録計等により測定される。
【００３９】
このように、本発明に係る剣道用面防具１は、前記特定の領域１４ａが、面打ち、左右面打ちによる竹刀の打撃の頻度が高い領域であり、面布団１２の全面領域１４のうち、面金１１の上半分の周縁１１ａから、装着者の後頭部の上方近傍１２ａに向かって延びた略半円形の領域である。更に、前記特定の領域１４ａのフェルトの厚みは薄く、その分高衝撃吸収材１５の厚みを厚くしている。
【００４０】
当該構成により、前記特定部分の厚みを特に他の部分と変らない厚みに仕上げることができ、しかも、高衝撃吸収材１５とフェルト１２ａが、面打ち、左右面打ちの打撃による衝撃から、装着者の頭頂部、上方頭側部、上方後頭部を充分に保護することが可能となる。
【００４１】
又、前記衝撃を受け易い特定の領域１４ａにのみ高緩衝吸収材１５を内蔵するとともに、高衝撃吸収材１５の盛り上がり発生を解消できるため、コストパフォーマンスに優れるとともに、綺麗な仕上がりの剣道用面防具１を提供することが可能となる。
【００４２】
＜本発明に係る剣道用小手防具＞
図４は、本発明に係る剣道用小手防具の上方斜視図である。尚、図４に示す図面の剣道用小手防具は右手用であるが、これが左手用であっても実質的に差異はない。
【００４３】
本発明に係る剣道用小手防具２は、図４に示すように、装着時に装着者の手指（手先）が挿入される手先部２１（小手頭と手の内とを含む）と、装着者の手首部を覆う筒２２と、装着時に装着者の前腕の上面部、側面部を覆う小手布団２３とを備えている。
【００４４】
前記小手布団２３は、上述した面布団１２と同様に、フェルトが上面の木綿布と下面の木綿布との間に挟みこまれた積層体である。更に、当該小手布団２３は、前記積層体の全面領域２４のうち、特定の領域２４ａ内のフェルト間に高衝撃吸収材が内蔵され、当該積層体の全面領域２４に刺し子縫い（刺子縫い）が施されている。
【００４５】
又、前記特定の領域２４ａは、小手打ちによる竹刀の打撃の頻度が高い領域（他の領域２４ｂと比較して６割−９割の頻度で打撃を受ける領域）、又は、上述した面打ち、左右面打ちが適切に決まらなかった場合（外れた場合）決まらなかった相手の竹刀が最も当たりやすい領域である。更に、前記特定の領域２４ａは、図４に示すように、小手布団の全面領域２４のうち、装着者の前腕の上面中央部を覆う略長方形（長手方向が、装着者の前腕の軸方向と一致する略長方形）の領域である。
【００４６】
そして、小手布団２３では、上述した面布団１２と同様に、特定の領域２４ａにおけるフェルト１２ａは他の部分より薄く成形され、当該薄くなった分の厚みを高衝撃吸収材の厚みが補うようになっている。
【００４７】
当該構成により、前記特定の領域２４ａの部分の厚みを他の部分の厚みと同一に成形することができるとともに、前記高衝撃吸収材とフェルトが、小手打ち等の打撃による衝撃から、装着者の前腕の上面中央部を充分に保護することが可能となる。即ち、小手打ちでは、技が決まった場合、装着者の前腕の上面中央部が竹刀で素早く且つ強烈に打たれる。又、面打ちが外れた場合外れた竹刀で、前記前腕の上面中央部が強烈に打たれる。これらの衝撃は、他の技（例えば、胴打ち）と比較して非常に大きいものとなる。一方、特定の領域２４ａでは、表面の綿布から、フェルト、高衝撃吸収材への津からの伝達がスムーズになり、高衝撃吸収材とフェルトとの組み合わせによる衝撃緩和機能、衝撃吸収機能、衝撃分散機能が充分に発揮される。
【００４８】
又、前記衝撃を受け易い特定の領域２４ａにのみ高緩衝吸収材を内蔵するとともに、高衝撃吸収材の盛り上がり発生を解消するため、コストパフォーマンスに優れるとともに、綺麗な仕上がりの剣道用小手防具２を提供することが可能となる。
【００４９】
尚、上述した実施形態は、本発明を具体化した一例であって、本発明の技術的範囲を限定する性格のものではない。
【００５０】
又、本発明に係る剣道用防具では、布団の構成を、木綿布、フェルト、高衝撃吸収材としているが、当該布団に更に、圧縮綿、木綿布、繊維材（例えば、炭素繊維材等）等を追加して挟み込んだり、上下から重ねたりする構成としても構わない。
【００５１】
又、本発明に係る剣道用防具では、剣道用面防具又は剣道用小手防具に適用したが、他の剣道用防具、例えば、剣道用胴防具、剣道用垂防具等に適用しても構わない。
【産業上の利用可能性】
【００５２】
以上のように、本発明に係る剣道用防具は、面防具、小手防具はもちろん、胴防具、垂防具にも有効であり、打撃による衝撃を効率よく緩和し、痛みを著しく軽減することが可能な剣道用防具として有効である。
【符号の説明】
【００５３】
１      剣道用面防具
１１    面金
１２    面布団
１２ａ  フェルト
１３    突き垂れ
１５    高衝撃吸収材
２      剣道用小手防具
２１    手先部
２２    筒
２３    小手布団
【図１】
2012020056.tif 000003
【図２】
2012020056.tif 000004
【図３】
2012020056.tif 000005
【図４】
2012020056.tif 000006